(57)【要約】【課題】  情報が受信者に到達したことを容易に確認可能とする。【解決手段】  重要情報伝達・指示確認システム３は、送信者携帯端末１からの情報を、同期通信ネットワーク２を介して受信して記憶した後、非同期通信ネットワーク５を介して、情報を受信したことを示すトークンを送信して受信者携帯端末６に通知する。受信者携帯端末６がトークンに従って情報を要求すると、重要情報伝達・指示確認システム３は、同期通信ネットワーク７を介して、受信者携帯端末６に情報を送信する。また、重要情報伝達・指示確認システム３は、送信者携帯端末１からの要求に応じて、同期通信ネットワーク２を介して、受信者携帯端末６が情報を受信したことを示す受諾情報や情報の送受信に対する処理状況を示す状態情報を送信する。【選択図】    図１
2007059963.tif 000002
【特許請求の範囲】
【請求項１】
送信端末と受信端末との間における情報の送受信を制御する情報伝達装置であって、
前記送信端末からの情報を同期通信経路を介して受信する情報受信手段と、
前記情報受信手段により情報を受信したことを、非同期通信経路を介して前記受信端末に通知する情報受信通知手段と、
前記情報受信通知手段による通知に対する前記受信端末からの要求に応じて、前記情報受信手段により受信した情報を、前記同期通信経路を介して前記受信端末へ送信する情報送信手段と、
前記送信端末からの要求に応じて、前記受信端末の前記情報の受信完了に伴う返信情報を、前記同期通信経路を介して前記送信端末へ送信する返信情報送信手段と
を具備することを特徴とする情報伝達装置。
【請求項２】
前記受信端末から前記情報の受信完了に伴う返信情報を受信したことを、前記非同期通信経路を介して前記送信端末に通知する返信情報受信通知手段をさらに具備することを特徴とする請求項１記載の情報伝達装置。
【請求項３】
前記情報受信手段により受信した前記送信端末からの情報を記憶する記憶手段と、
前記通知手段による通知に対する前記受信端末からの要求に応じて、前記記憶手段に記憶されている情報を取得する要求処理手段とを具備し、
前記情報送信手段は、前記要求処理手段により取得された情報を、前記同期通信経路を介して、前記受信端末へ送信することを特徴とする請求項１または２記載の情報伝達装置。
【請求項４】
前記同期通信経路を介した前記送信端末との通信中に、前記送信端末に対して処理状況を示す状態情報を送信する状態情報送信手段を具備することを特徴とする請求項３記載の情報伝達装置。
【請求項５】
前記状態情報送信手段は、前記送信端末からの情報の送信が不良であったことを示す送信処理不良、情報の送信過程であることを示す送信中、前記受信端末へ通知済みであることを示す通知済、前記通知に対する前記受信端末からの応答がないことを示す不成立、前記送信端末からの要求に対して返信処理が不良であった旨を示す返信処理不良のいずれかを示す状態情報を送信することを特徴とする請求項４記載の情報伝達装置。
【請求項６】
送信端末と受信端末との間における情報の送受信を制御する情報伝達プログラムであって、
前記送信端末からの情報を同期通信経路を介して受信するステップと、
前記情報を受信したことを、非同期通信経路を介して前記受信端末に通知するステップと、
前記通知に対する前記受信端末からの要求に応じて、前記受信した情報を、前記同期通信経路を介して前記受信端末へ送信するステップと、
前記送信端末からの要求に応じて、前記受信端末の前記情報の受信完了に伴う返信情報を、前記同期通信経路を介して前記送信端末へ送信するステップと
をコンピュータに実行させることを特徴とする情報伝達プログラム。
【発明の詳細な説明】
【技術分野】
【０００１】
本発明は、情報伝達装置および情報伝達プログラムに関する。
【背景技術】
【０００２】
インターネットなどのネットワークを介して、送信者と受信者との間で何らかの情報、特に、重要であると思われる情報を送受信する場合、送信者は、受信者が確かに重要な情報を受信したことを確認したい状況がある。そこで、重要な情報が受信者へ到達していることを確認するために、受信者は、その情報を受信した時点で受諾情報を送信者へ返信する必要がある。送信者は、その受諾情報を入手した時点で重要な情報が受信者へ到達したことを確認することができる。
【０００３】
従来、上述したような送受信には、メールなどの非同期通信プロトコルが用いられていた。従来技術としては、例えば、ダミーメールを送信先が送信元へ返信することで、送信元が送信先へメール到達を確認する技術が提案されている（例えば、特許文献１参照）。また、他の従来技術としては、電子情報受信者が暗号化された受領証を送信者に返信することで情報の到達を確認する技術が提案されている（例えば、特許文献２参照）。
【０００４】
また、他の従来技術として、特定の電子メールに対して到達確認や送信確認のフラグを付与し、送信者は、その電子メールのステータスを一覧する技術が提案されている（例えば、特許文献３参照）。さらに、非同期および同期通信プロトコルを用いて、受信者と送信者との間におけるメッセージを送受信する技術が提案されている（例えば、特許文献４参照）。
【特許文献１】特開２００４−１１０７５７号公報
【特許文献２】特開２０００−９９４２１号公報
【特許文献３】特開２００４−３１２３２４号公報
【特許文献４】特開２００３−３０４２９０号公報
【発明の開示】
【発明が解決しようとする課題】
【０００５】
しかしながら、上述した従来技術では、メールなどの非同期通信プロトコルを用いているため、受諾情報を受信するまでの４つの通信経路（送信者→システム、システム→受信者、受信者→システム、システム→送信者）が存在する。
【０００６】
ここで、図１５は、従来技術による課題を説明するためのシーケンス図である。図において、送信者（の端末）は、重要情報送信経路を介して重要情報をシステムに送信する（Ｓ１）。このとき、システムで不具合（送信処理のシステム不良）が発生しても送信者には分からない（Ａ）。次に、システムは、重要情報受信経路を介して受信者端末６へ送信する（Ｓ２）。このとき、重要情報受信経路で不具合（受信者情報未達）が発生しても送信者には分からない（Ｂ）。
【０００７】
次に、受信者端末６では、重要情報を受信した場合、受諾した旨を受諾情報送信経路を介してシステムに送信する（Ｓ３）。このとき、受諾情報送信経路で不具合（システムへ受諾情報未達）が発生しても送信者には分からない（Ｃ）。また、システムで不具合（返信処理のシステム不良）が発生しても送信者には分からない（Ｄ）。次に、システムは、受諾情報受信経路を介して送信者（の端末）に受諾情報を送信する（Ｓ４）。このとき、受諾情報受信経路で不具合（送信者へ受諾情報未達）が発生しても送信者には分からない（Ｅ）。
【０００８】
このように、４つの通信経路のいずれか１つに不具合が発生したとしても、非同期通信プロトコルの性質上、送信者は重要情報の到達を確認することができないという問題が生じる。なお、特許文献４で示される従来技術では、同期通信プロトコルを用いているが、非同期通信部分の不具合が考慮されていないため、やはり送信者が適切に到達状況を確認することができないという問題が残る。
【０００９】
本発明は、このような事情を考慮してなされたものであり、その目的は、情報が受信者に到達したことを容易に確認することができる情報伝達装置および情報伝達プログラムを提供することにある。
【課題を解決するための手段】
【００１０】
上述した課題を解決するために、本発明は、送信端末と受信端末との間における情報の送受信を制御する情報伝達装置であって、前記送信端末からの情報を同期通信経路を介して受信する情報受信手段と、前記情報受信手段により情報を受信したことを、非同期通信経路を介して前記受信端末に通知する通知手段と、前記通知手段による通知に対する前記受信端末からの要求に応じて、前記情報受信手段により受信した情報を、前記同期通信経路を介して前記受信端末へ送信する情報送信手段と、前記送信端末からの要求に応じて、前記受信端末の前記情報の受信完了に伴う返信情報を、前記同期通信経路を介して前記送信端末へ送信する返信情報送信手段とを具備することを特徴とする。
【００１１】
本発明は、上記の発明において、前記受信端末から前記情報の受信完了に伴う返信情報を受信したことを、前記非同期通信経路を介して前記送信端末に通知する返信情報受信通知手段をさらに具備することを特徴とする。
【００１２】
前記情報受信手段により受信した前記送信端末からの情報を記憶する記憶手段と、前記通知手段による通知に対する前記受信端末からの要求に応じて、前記記憶手段に記憶されている情報を取得する要求処理手段とを具備し、前記情報送信手段は、前記要求処理手段により取得された情報を、前記同期通信経路を介して、前記受信端末へ送信することを特徴とする。
【００１３】
本発明は、上記の発明において、前記同期通信経路を介した前記送信端末との通信中に、前記送信端末に対して処理状況を示す状態情報を送信する状態情報送信手段を具備することを特徴とする。
【００１４】
本発明は、上記の発明において、前記状態情報送信手段は、前記送信端末からの情報の送信が不良であったことを示す送信処理不良、情報の送信過程であることを示す送信中、前記受信端末へ通知済みであることを示す通知済、前記通知に対する前記受信端末からの応答がないことを示す不成立、前記送信端末からの要求に対して返信処理が不良であった旨を示す返信処理不良のいずれかを示す状態情報を送信することを特徴とする。
【００１５】
また、上述した課題を解決するために、本発明は、送信端末と受信端末との間における情報の送受信を制御する情報伝達プログラムであって、前記送信端末からの情報を同期通信経路を介して受信するステップと、前記情報を受信したことを、非同期通信経路を介して前記受信端末に通知するステップと、前記通知に対する前記受信端末からの要求に応じて、前記受信した情報を、前記同期通信経路を介して前記受信端末へ送信するステップと、前記送信端末からの要求に応じて、前記受信端末の前記情報の受信完了に伴う返信情報を、前記同期通信経路を介して前記送信端末へ送信するステップとをコンピュータに実行させることを特徴とするをコンピュータに実行させることを特徴とする
【発明の効果】
【００１６】
この発明によれば、送信端末から情報伝達装置への情報の送信、受信端末から情報伝達装置への情報の要求と受信、送信端末から情報伝達装置への受諾情報の要求と受信を同期通信経路とし、情報伝達装置から受信端末への情報受信の通知および情報伝達装置から送信端末への受諾情報受信の通知を非同期通信経路とすることで、受信端末側の通信負荷を増大させることなく、情報が受信端末に到達されたことを送信端末に確実に伝達することとができるとともに、情報の漏洩を防止することができるという利点が得られる。
【発明を実施するための最良の形態】
【００１７】
以下、本発明の一実施形態による情報提供装置を、図面を参照して説明する。
図１は、本発明の第１実施形態による情報提供装置を適用した通信システムを示すブロック図である。図１において、送信者携帯端末１は、同期通信ネットワーク２を介して、重要情報に指示内容群を付与して送信する端末である。重要情報伝達・指示確認システム３は、送信者携帯端末１からの重要情報と指示内容群とを保存し、その情報にアクセスできるトークンを、非同期通信メッセージサービス４を通じて非同期通信ネットワーク５を介して受信者携帯端末６へ送信する。受信者携帯端末６は、非同期通信ネットワーク５を介して非同期通信メッセージサービス４から送られてくるトークンを受信することで、タイムリーに重要情報が届いていることを検出することができる。受信者携帯端末６は、トークンに従って、重要情報伝達・指示確認システム３から同期通信ネットワーク７を介して重要情報と指示内容群とを受信する。
【００１８】
次に、図２は、本第１実施形態による重要情報伝達・指示確認システム３の構成を示すブロック図である。図において、重要情報伝達・指示確認システム３は、同期通信処理部３−１、要求処理部３−２、ユーザＤＢ３−３、情報保存ＤＢ３−４、非同期通信依頼部３−５からなる。同期通信処理部３−１は、同期通信ネットワーク２、７を介して、送信者携帯端末１または受信者携帯端末６との間で同期通信を行う。要求処理部３−２は、送信者携帯端末１または受信者携帯端末６からの様々な要求に応じて、ユーザＤＢ３−３、情報保存ＤＢ３−４から情報を取得する。
【００１９】
ユーザＤＢ３−３は、図３に示すように、ユーザ毎に、ユーザを識別（認証）するためのユーザＩＤ、パスワード、端末属性および非同期メッセージアドレスを保持している。情報保存ＤＢ３−４は、図４に示すように、送信者ＩＤ（送信者のユーザＩＤ）、受信者ＩＤ（受信者のユーザＩＤ）、状態、情報本文、指示数、指示内容１、指示内容２などを保持している。非同期通信依頼部３−５は、非同期通信メッセージサービス４に対して、重要情報を受信したことを通知するためのトークンを、非同期通信ネットワーク５を介して受信者携帯端末６に送信することを依頼する。
【００２０】
次に、上述した本第１実施形態の動作について説明する。ここで、図５は、本第１実施形態による通信システムの全体動作を説明するためのシーケンス図である。図において、送信者携帯端末１は、重要情報送信経路（同期通信ネットワーク２）を介して重要情報に指示内容群を付与して重要情報伝達・指示確認システム３に送信する（Ｓａ１）。指示内容群とは、例えば、送信者が受信者に重要情報を送信するのに併せて、当該重要情報を受信した受信者に何らかの回答の送信を求めたい場合の、受信者への質問事項とその回答指示とからなる情報のことをいう。このとき、重要情報伝達・指示確認システム３は、処理状況を同期通信ネットワーク２を介して送信者携帯端末１に送信する（Ｓａ２）。したがって、送信者は、重要情報伝達・指示確認システム３で不具合（送信処理のシステム不良）が発生した場合には処理状況で知ることができる（Ａ）。
【００２１】
次に、重要情報伝達・指示確認システム３は、トークン受信経路（非同期通信ネットワーク５）を介して受信者携帯端末６へトークンを送信する（Ｓａ３）。受信者携帯端末６は、トークンに従って、重要情報受信および受諾情報送信経路（同期通信ネットワーク７）を介して重要情報受信および受諾情報送信を要求する（Ｓａ４）。なお、受諾情報とは、受信者携帯端末６による重要情報の受信を、送信者携帯端末１に通知する情報をいう。したがって、受信者携帯端末６からの要求がなければ、重要情報伝達・指示確認システム３は、不具合（受信者へ重要情報未達またはシステムへ受諾情報未達）が発生したことを検知することができる（Ｂ、Ｃ）。ここで、不具合Ｂ、Ｃについて詳細に説明する。不具合Ｂは、受信者端末が重要情報到達に関するトークンを受領したかどうか送信者に分からない不具合であり、受信者携帯端末６から重要情報受信および受諾情報送信経路を通じて、トークン送信後、一定時間経過後に重要情報の要求がなされないことで判明するものである。不具合Ｃは、トークンが受信者携帯端末６にて受信されている（つまり、受信者携帯端末６より重要情報の要求がシステムにあったことにより分かる）が、通信経路の不具合により、システムは重要情報を受信者携帯端末６に送信したが、重要情報がネットワーク上で失われて受信者に届かない、あるいは、受信者携帯端末６のアプリケーションのエラーにより重要情報の送信に失敗したといった不具合である。
【００２２】
次に、重要情報伝達・指示確認システム３は、受信者携帯端末６からの要求に応じて、重要情報および指示内容群を同期通信ネットワーク７を介して受信者携帯端末６へ送信する（Ｓａ５）。受信者携帯端末６は、上記指示内容群に対する指示を、指示送信経路（同期通信ネットワーク７）を介して重要情報伝達・指示確認システム３に送信する（Ｓａ６）。ここで、上記指示とは、送信者からの指示内容群に応じて、受信者が作成した回答、送信者への指示事項からなる情報である。重要情報伝達・指示確認システム３は、上記ステップＳａ６で、受信者携帯端末６から、指示内容群に対応する指示を重要情報伝達・指示確認システム３へ送信したことに対応し、上記指示内容群を受信したという確認情報を受信者携帯端末６へ送信する（Ｓａ７）。なお、上述した動作において、指示送信（Ｓａ６、Ｓａ７）は、送信者携帯端末１が重要情報に指示内容群を付与して受信者携帯端末６からの指示要求を行った場合のみに行われる。
【００２３】
次に、送信者携帯端末１は、受諾情報および指示受信経路（同期通信ネットワーク２）を介して、重要情報伝達・指示確認システム３に対して、受諾情報および指示を要求する（Ｓａ８）。重要情報伝達・指示確認システム３は、上記送信者携帯端末１からの要求に対して、受信者携帯端末６からの受諾情報および指示を同期通信ネットワーク２を介して送信する（Ｓａ９）。したがって、送信者携帯端末１は、重要情報伝達・指示確認システム３からの受諾情報で、不具合（返信処理のシステム不良）が発生したことを判別することができ（Ｄ）、受諾情報および指示が未達であれば、不具合（送信者へ受諾情報未達）が発生したことを判別することができる（Ｅ）。ここで、不具合Ｄは、ステップＳａ３〜Ｓａ７の過程で重要情報伝達・指示確認システム３内で発生する何らかの不具合（例えば、後述する図８のステップＳｄ１２に示す受諾情報の生成に失敗）である。この場合、システム不良と判別可能な応答が、重要情報伝達・指示確認システム３から送信者携帯端末１に送信される。ステップＳａ８において、送信者携帯端末１からの受諾情報および指示の要求の送信が完了しない場合も、送信者携帯端末１において把握することが可能である。不具合Ｅは、送信者携帯端末１からの受諾情報、指示の要求に対して、システムから応答がない不具合である。これは、完全に重要情報伝達・指示確認システム３がダウンした状態である。
【００２４】
以下、各動作の詳細について説明する。
（Ａ）重要情報送信要求シーケンス
図６は、本第１実施形態による重要情報送信経路（Ｓａ１）の動作を説明するためのシーケンス図である。送信者携帯端末１は、同期通信ネットワーク２を介して、重要情報伝達・指示確認システム３に重要情報送信要求（重要情報、受信者ＩＤ）を送信する（Ｓｂ１）。重要情報伝達・指示確認システム３では、同期通信処理部３−１により重要情報送信要求（重要情報、受信者ＩＤ）が受信され、要求処理部３−２へ送信される（Ｓｂ２）。要求処理部３−２では、ユーザＤＢ３−３に対して情報要求（受信者ＩＤ）を行い（Ｓｂ３）、ユーザＤＢ３−３から受信者アドレスと端末属性とを取得する（Ｓｂ４）。
【００２５】
要求処理部３−２では、重要情報を識別するための情報ＩＤを生成し（Ｓｂ５）、情報保存ＤＢ３−４に保存（情報ＩＤ、重要情報、状態：送信中）する（Ｓｂ６）。次に、要求処理部３−２では、非同期通信依頼部３−５に対して、トークン送信依頼（受信者アドレス、端末属性、情報ＩＤ）を送信する（Ｓｂ８）。非同期通信依頼部３−５では、上記トークン送信依頼を受理した旨を要求処理部３−２に通知する（Ｓｂ９）。要求処理部３−２は、上記トークン送信依頼を受理した旨を同期通信処理部３−１に通知し（Ｓｂ１０）、同期通信処理部３−１は、上記受理した旨を受信すると、同期通信ネットワーク２を介して、送信者携帯端末１に処理状況応答（送信中、情報ＩＤ）を返信する（Ｓｂ１１）。
【００２６】
重要情報の到達が確認できない非同期通信では、重要情報を失う恐れがある。そこで、本第１実施形態では、上述したように、重要情報を、重要情報伝達・指示確認システム３の情報保存ＤＢ３−４に保存しておき、重要情報を受信したことを示すトークンのみを非同期通信で受信者携帯端末６に送信する。これにより、重要情報を失う恐れがなくなる。
【００２７】
（Ｂ）トークン受信経路シーケンス
次に、図７は、本第１実施形態によるトークン受信経路（Ｓａ３）の動作を説明するためのシーケンス図である。重要情報伝達・指示確認システム３の要求処理部３−２は、トークン送信依頼（受信者アドレス、端末属性、情報ＩＤ）を非同期通信依頼部３−５に送信する（Ｓｃ１）。なお、該ステップＳｃ１は、上記ステップＳｂ８の処理に相当する。非同期通信依頼部３−５は、トークン送信依頼を受信すると、トークン本文（端末属性、情報ＩＤ）を生成する（Ｓｃ２）。
【００２８】
より具体的には、非同期通信依頼部３−５は、トークン本文生成時に端末属性を考慮する。端末属性には、同期通信を行うアプリケーションがＨＴＴＰブラウザのみか、ＨＴＴＰアプリケーションが利用できるかといった情報を有する。ＨＴＴＰアプリケーションが利用できる場合には、アプリケーション起動コマンドを生成し、ＨＴＴＰブラウザのみが利用できる場合には、同期通信処理部３−１へのハイパーリンクを生成する。
【００２９】
その後、非同期通信依頼部３−５は、非同期通信メッセージサービス４に対してトークン送信依頼（受信者アドレス、トークン本文）を送信し（Ｓｃ３）、要求処理部３−２に受理を通知する（Ｓｃ４）。非同期メッセージサービス４では、非同期通信ネットワーク５を介して、非同期通信メッセージ（トークン本文）を受信者携帯端末６に送信する（Ｓｃ５）。非同期通信依頼部３−５は、トークン送信を依頼した後、受信者携帯端末６からの応答（情報ＩＤ）を待つ（Ｓｃ６）。そして、一定時間経過後に応答がない場合には、非同期通信によるトークン送信に失敗したと判断する。
【００３０】
（Ｃ）重要情報受信および受諾情報送信経路シーケンス
次に、図８は、本第１実施形態による重要情報受信および受諾情報送信経路（Ｓａ４）の動作を説明するためのシーケンス図である。非同期通信メッセージサービス４は、非同期通信ネットワーク５を介して、非同期通信メッセージ（トークン本文）を受信者携帯端末６に送信する（Ｓｄ１）。なお、ステップＳｄ１は、上記ステップＳｃ５の処理に相当する。受信者携帯端末６は、非同期通信メッセージ（トークン本文）を受信すると、アプリケーションを起動し（Ｓｄ２）、同期通信ネットワーク７を介して、重要情報伝達・指示確認システム３の同期通信処理部３−１に重要情報取得要求（情報ＩＤ）を送信する（Ｓｄ３）。
【００３１】
同期通信処理部３−１は、重要情報取得要求（情報ＩＤ）を受信すると、非同期通信依頼部３−５に対して受信者応答（情報ＩＤ）を送信する（Ｓｄ４）。受信者応答待ち（Ｓｄ５）の非同期通信依頼部３−５は、該受信者応答（情報ＩＤ）を受信すると、非同期通信を完了する（Ｓｄ６）。これに対して、同期通信処理部３−１は、要求処理部３−２に、重要情報を取得するための取得要求依頼（情報ＩＤ）を送出する（Ｓｄ７）。要求処理部３−２は、取得要求依頼を受信すると、情報保存ＤＢ３−４に情報取得要求（情報ＩＤ）を送出し（Ｓｄ８）、情報保存ＤＢ３−４から重要情報、指示内容、送信者ＩＤを取得する（Ｓｄ９）。次に、要求処理部３−２は、情報保存ＤＢ３−４に情報更新（情報ＩＤ、状態：通知済）を送出して該当情報の状態を更新する（Ｓｄ１０）。
【００３２】
要求処理部３−２は、情報が更新されると、同期通信処理部３−１に対して返信情報（受諾情報）の生成要求（送信者ＩＤ、情報ＩＤ、状態：通知済）を送出する（Ｓｄ１１）。これに対して、同期通信処理部３−１は、同期通信ネットワーク２を介して、送信者携帯端末１に返信情報（受諾情報；情報ＩＤ、状態：通知済）を生成する（Ｓｄ１２）。その後、要求処理部３−２が重要情報と指示内容とを同期通信処理部３−１に送信すると（Ｓｄ１３）、同期通信処理部３−１は、同期通信ネットワーク７を介して、受信者携帯端末６に重要情報と指示内容とを送信する（Ｓｄ１４）。
【００３３】
（Ｄ）指示送信経路シーケンス
次に、図９は、本第１実施形態による指示送信経路（Ｓａ６）の動作を説明するためのシーケンス図である。トークン本文を受信した受信者携帯端末６は、同期通信ネットワーク７を介して、重要情報取得要求（情報ＩＤ）を重要情報伝達・指示確認システム３の同期通信処理部３−１に送信する（Ｓｅ１）。同期通信処理部３−１は、重要情報取得要求（情報ＩＤ）を受信すると、同期通信ネットワーク７を介して、受信者携帯端末６に重要情報と指示内容とを送信する（Ｓｅ２）。上記Ｓｅ１とＳｅ２は、上述した図８のＳｄ３〜Ｓｄ１４の処理に相当する。
【００３４】
次に、受信者携帯端末６は、同期通信ネットワーク７を介して、指示送信要求（情報ＩＤ、指示内容）を重要情報伝達・指示確認システム３の同期通信処理部３−１に送信する（Ｓｅ３）。同期通信処理部３−１は、指示送信要求（情報ＩＤ、指示内容）を要求処理部３−２に送出する（Ｓｅ４）。要求処理部３−２では、情報保存ＤＢ３−４に対して情報要求（情報ＩＤ）を送出し（Ｓｅ５）、情報保存ＤＢ３−４から該当する送信者ＩＤを取得する（Ｓｅ６）。次に、要求処理部３−２は、同期通信処理部３−１に対して、指示に相当する返信情報（送信者ＩＤ、情報ＩＤ、指示内容）の生成要求を送出する（Ｓｅ７）。
【００３５】
同期通信処理部３−１は、上記指示送信要求を受信すると、同期通信ネットワーク２を介して、送信者携帯端末１に指示に相当する返信情報（情報ＩＤ、指示内容）を生成する（Ｓｅ８）。その後、同期通信処理部３−１は、指示送信の完了を通知すべく、要求処理部３−２に応答するとともに（Ｓｅ９）、同期通信ネットワーク７を介して、受信者携帯端末６に応答する（Ｓｅ１０）。
【００３６】
（Ｅ）受諾情報および指示受信経路シーケンス
次に、図１０は、本第１実施形態による受諾情報および指示受信経路（Ｓａ８）の動作（Ｓａ８）を説明するためのシーケンス図である。同期通信処理部３−１は、同期通信ネットワーク２を介して、送信者携帯端末１に対する返信情報（情報ＩＤ、状態：通知済）を生成し（Ｓｆ１）、次いで、指示に相当する返信情報（情報ＩＤ、指示内容）を生成する（Ｓｆ２）。なお、ステップＳｆ１、Ｓｆ２は、それぞれ上記ステップＳｄ１２、Ｓｅ８の処理に相当する。そして、送信者携帯端末１から同期通信同期ネットワーク２を介して要求が送信されると（Ｓｆ３）、全返信情報から本文（情報ＩＤ、状態：通知済、指示内容）を作成し（Ｓｆ４）、同期通信ネットワーク２を介して、送信者携帯端末１に送信する（Ｓｆ５）。
【００３７】
なお、送信者携帯端末１では、要求に対する返信がない場合、ステップＳｆ１、Ｓｆ２での送信者へ返信情報生成が実行されて返信情報が取得できる状態になるまで一定時間待ってから再度要求する。「受諾情報および指示」の受信については、送信者携帯端末１が要求を定期的に行って取得する。
【００３８】
（Ｆ）不具合Ａの発生時シーケンス
次に、図１１は、重要情報送信経路シーケンスにおいて不具合Ａが発生したときの動作を説明するためのシーケンス図である。同期通信処理部３−１は、送信者携帯端末１から同期通信ネットワーク２を介して重要情報送信要求を受信した際（Ｓｇ１）、送信処理のシステム不良が発生した場合には、同期通信ネットワーク２を介して、送信者携帯端末１に「状態：送信処理不良」を返信する（Ｓｇ２）。
【００３９】
（Ｇ）不具合Ｂ、Ｃの発生時シーケンス
次に、図１２は、重要情報受信および受諾情報送信経路シーケンスにおいて不具合Ｂ、Ｃが発生したときの動作を説明するためのシーケンス図である。非同期通信依頼部３−５は、重要情報受信および受諾情報送信経路シーケンスにおいて、受信者携帯端末６からの応答（情報ＩＤ）を待っているとき（Ｓｈ１）、受信者応答がない場合、あるいは重要情報の受信者への送信が完了しなかった場合、要求処理部３−２に対して不成立送信要求（情報ＩＤ）を送出する（Ｓｈ２）。要求処理部３−２は、不成立送信要求を受信すると、情報保存ＤＢ３−４で情報ＩＤをキーに送信者を検索し（Ｓｈ３）、送信者ＩＤを取得する（Ｓｈ４）。次に、情報保存ＤＢ３−４に対して削除要求を出し（Ｓｈ５）、該当情報ＩＤの重要情報を削除する。
【００４０】
次に、要求処理部３−２は、同期通信処理部３−１に対して、不成立情報送信要求（送信者ＩＤ、情報ＩＤ）を送出する（Ｓｈ６）。同期通信処理部３−１は、不成立情報送信要求を受信すると、送信者携帯端末１に対して返信（情報ＩＤ、状態：不成立）する（Ｓｈ７）。その後、同期通信処理部３−１は、要求処理部３−２に応答し（Ｓｈ８）、要求処理部３−２は、非同期通信依頼部３−５に応答する（Ｓｈ９）。
【００４１】
（Ｈ）不具合Ｄの発生時シーケンス
次に、図１３は、受諾情報および指示受信経路シーケンスにおいて不具合Ｄが発生したときの動作を説明するためのシーケンス図である。同期通信処理部３−１は、送信者携帯端末１から要求があった際に（Ｓｉ１）、返信処理のシステム不良が発生した場合、同期通信ネットワーク２を介して、送信者携帯端末１に情報ＩＤ、状態：返信処理不良を返信する（Ｓｉ２）。
【００４２】
（Ｉ）不具合Ｅの発生時シーケンス
次に、図１４は、受諾情報および指示受信経路シーケンスの返信において不具合Ｅが発生したときの動作を説明するためのシーケンス図である。送信者携帯端末１は、同期通信処理部３−１に対して要求した際に（Ｓｊ１）、同期通信処理部３−１から一定時間経過しても応答がなかった場合、受信不良処理を行う（Ｓｊ２）。
【００４３】
上述した第１実施形態によれば、送信者携帯端末１は、重要情報の送信、および受諾情報の受信を同期通信により行うことにより、重要情報の確実な送信と、確認を行うことができる。また、送信者携帯端末１は、重要情報に指示内容群を付与して重要情報伝達・指示確認システム３に送信し、重要情報伝達・指示確認システム３は、重要情報と指示内容群とを保存し、その情報にアクセスできるトークンを受信者携帯端末６へ非同期通信で送信することで、重要情報が届いていることを受信者携帯端末６にタイムリーに通知することができる。
【００４４】
また、上述した第１実施形態によれば、非同期通信にトークンを用いることで重要情報と指示内容群との漏洩を防止することができる。また、受信者携帯端末６は、受信したトークンから重要情報と回答項目とを同期通信で受信することで、確実に重要情報と回答項目とを取得することができる。また、受信者携帯端末６が同期通信によって重要情報を取得するため、受信者携帯端末６の受信行為自体が受信者携帯端末６にトークンが届いたことを間接的に示し、情報の到達を確認することができる。
【００４５】
また、送信者携帯端末１が同期通信により重要情報の状況や指示確認を行うことで、重要情報伝達・指示確認システム３は、送信者携帯端末１の要求を確実に処理して応答することができる。また、各通信経路で不具合が発生しても、送信者携帯端末１は、全ての状況を知ることができる。また、重要情報に指示内容群を付与して重要情報伝達・指示確認システム３が指示情報を管理することで、伝達確認の仕組みの中で送信者へ受信者からの指示を到達させることができる。
【００４６】
特に、金融商品を提供する金融機関において、顧客の証拠金不足が発生した場合に、その状況と取引をどうすべきかの選択肢を顧客に通知するような場合、金融機関にとって、到達確認の情報が通知義務を果たした証拠となる。顧客は、証拠金不足を知るだけでなく、どのようにすべきかの指示を容易に行うことができる。また、公共料金やクレジットの引き落とし時の残高不足を通知して顧客から指示を仰ぐことが可能となる。また、手形の決済日の残高不足を通知して顧客かの指示を仰ぐことが可能となる。
【００４７】
次に、本発明の第２実施形態について説明する。
上述した第１実施形態では、送信者携帯端末による「受諾情報および指示」の受信については、送信者携帯端末１が要求を定期的に行って取得するようにした。これに対して、本第２実施形態では、送信者に非同期通信で受諾情報および指示があることを通知する。つまり、本第２実施形態では、重要情報伝達・指示確認システム３から送信者携帯端末１へ、受諾情報や指示がある旨の通知を、システムによる返信情報の生成後、非同期通信によるトークン送信により実行し、送信者携帯端末１が当該トークンを受信後、同期通信により重要情報伝達・指示確認システム３に対し、受諾情報等の要求を行い、重要情報伝達・指示確認システム３はそれに応答する形で返信情報（受諾情報、指示）を送信者携帯端末１に送信するようになっている。
【００４８】
ここで、図１５は、本発明の第２実施形態による情報提供装置を適用した通信システムを示すブロック図である。なお、図１に対応する部分には同一の符号を付けて説明を省略する。図１５に示す構成において、図１と異なる点は、上述したように、重要情報伝達・指示確認システム３から送信者携帯端末１へ、受諾情報や指示がある旨の通知を、システムによる返信情報の生成後、非同期通信ネットワーク８を介してトークン送信により実行する点である。
【００４９】
次に、上述した本第２実施形態の動作について説明する。ここで、図１６は、本第２実施形態による受諾情報の送信通知の動作を説明するためのシーケンス図である。図において、まず、同期通信処理部３−１は、送信者への返信情報（受諾情報）の生成（情報ＩＤ、状態：通知済）を実行する（Ｓｋ１）。次いで、要求処理部３−２に対して送信要求依頼（状態：通知済、送信者ＩＤ）を送信する（Ｓｋ２）。要求処理部３−２は、送信要求依頼を受信すると、ユーザＤＢ３−３に情報要求（送信者ＩＤ）を実行し、送信者アドレスおよび端末属性を取得する（Ｓｋ４）。
【００５０】
次に、要求処理部３−２は、情報ＩＤを生成し（Ｓｋ５）、その後、情報保存ＤＢ３−４に情報ＩＤ、“状態：通知済”、状態：送信中を保存する（Ｓｋ６）。次いで、要求処理部３−２は、非同期通信依頼部３−５に対して、トークン送信依頼（送信者アドレス、端末属性、情報ＩＤ）を送信する（Ｓｋ７）。非同期通信依頼部３−５は、トークン送信依頼を受信すると、トークン本文（端末属性、情報ＩＤ）を生成し（Ｓｋ８）、非同期通信メッセージサービス４に対して、トークン送信依頼（送信者アドレス、トークン本文）を送信する（Ｓｋ９）。
【００５１】
非同期メッセージサービス４は、トークン送信依頼を受信すると、非同期通信ネットワーク８を介して、非同期通信メッセージ（トークン本文）を送信者携帯端末１に送信することにより、受諾情報がある旨の通知を行う（Ｓｋ１０）。送信者携帯端末１は、非同期通信メッセージ（トークン本文）を受信すると、同期通信ネットワーク２を介して、重要情報伝達・指示確認システム３の同期通信処理部３−１に対して情報取得要求（情報ＩＤ）を送信する（Ｓｋ１１）。これに対して、重要情報伝達・指示確認システム３の同期通信処理部３−１は、情報ＩＤで特定される情報、すなわち受諾情報を返信情報として、同期通信ネットワーク２を介して、送信者携帯端末１に送信する（Ｓｋ１２）。
【００５２】
次に、図１７は、本第２実施形態による指示の送信通知の動作を説明するためのシーケンス図である。図において、まず、同期通信処理部３−１は、送信者への返信情報（指示）の生成（情報ＩＤ、指示内容）を実行する（Ｓｍ１）。次いで、要求処理部３−２に対して送信要求依頼（指示内容、送信者ＩＤ）を送信する（Ｓｍ２）。要求処理部３−２は、送信要求依頼を受信すると、ユーザＤＢ３−３に情報要求（送信者ＩＤ）を実行し、送信者アドレスおよび端末属性を取得する（Ｓｍ４）。
【００５３】
次に、要求処理部３−２は、情報ＩＤを生成し（Ｓｍ５）、その後、情報保存ＤＢ３−４に情報ＩＤ、指示内容、状態：送信中を保存する（Ｓｍ６）。次いで、要求処理部３−２は、非同期通信依頼部３−５に対して、トークン送信依頼（送信者アドレス、端末属性、情報ＩＤ）を送信する（Ｓｍ７）。非同期通信依頼部３−５は、トークン送信依頼を受信すると、トークン本文（端末属性、情報ＩＤ）を生成し（Ｓｍ８）、非同期通信メッセージサービス４に対して、トークン送信依頼（送信者アドレス、トークン本文）を送信する（Ｓｍ９）。
【００５４】
非同期メッセージサービス４は、トークン送信依頼を受信すると、非同期通信ネットワーク８を介して、非同期通信メッセージ（トークン本文）を送信者携帯端末１に送信することにより、指示がある旨の通知を行う（Ｓｍ１０）。送信者携帯端末１は、非同期通信メッセージ（トークン本文）を受信すると、同期通信ネットワーク２を介して、重要情報伝達・指示確認システム３の同期通信処理部３−１に対して情報取得要求（情報ＩＤ）を送信する（Ｓｍ１１）。これに対して、重要情報伝達・指示確認システム３の同期通信処理部３−１は、情報ＩＤで特定される情報、すなわち指示を返信情報として、同期通信ネットワーク２を介して、送信者携帯端末１に送信する（Ｓｍ１２）。
【００５５】
上述したように、本第２実施形態では、重要情報伝達・指示確認システム３から送信者携帯端末１に、非同期通信ネットワーク８を介して、トークンを送信することにより、受諾情報や指示がある旨の通知を行い、送信者携帯端末１が当該トークンを受信後、同期通信により重要情報伝達・指示確認システム３に対し、受諾情報や指示等の要求を行い、重要情報伝達・指示確認システム３がそれに応答する形で返信情報（受諾情報、指示）を送信者携帯端末１に送信するようにしたので、受諾情報や指示が届いていることを送信者携帯端末１にタイムリーに通知することができる。
【００５６】
なお、上述した第１および第２実施形態においては、上述した送信者携帯端末１、重要情報伝達・指示確認システム３、受信者携帯端末６などによる一連の処理の過程は、プログラムの形式でコンピュータ読み取り可能な記録媒体に記憶されており、このプログラムをコンピュータが読み出して実行することによって、上記処理が行われる。すなわち、送信者携帯端末１、重要情報伝達・指示確認システム３、受信者携帯端末６などにおける、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
【００５７】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００５８】
【図１】本発明の第１実施形態による情報提供装置を適用した通信システムを示すブロック図である。
【図２】本第１実施形態による重要情報伝達・指示確認システム３の構成を示すブロック図である。
【図３】ユーザＤＢ３−３のデータ構成を示すブロック図である。
【図４】情報保存ＤＢ３−４のデータ構成を示すブロック図である。
【図５】本第１実施形態による通信システムの全体動作を説明するためのシーケンス図である。
【図６】本第１実施形態による重要情報送信経路（Ｓａ１）の動作を説明するためのシーケンス図である。
【図７】本第１実施形態によるトークン受信経路（Ｓａ３）の動作を説明するためのシーケンス図である。
【図８】本第１実施形態による重要情報および受諾情報送信経路（Ｓａ４）の動作を説明するためのシーケンス図である。
【図９】本第１実施形態による指示送信経路（Ｓａ６）の動作を説明するためのシーケンス図である。
【図１０】本第１実施形態による受諾情報および指示受信経路（Ｓａ８）の動作（Ｓａ８）を説明するためのシーケンス図である。
【図１１】重要情報送信経路シーケンスにおいて不具合Ａが発生したときの動作を説明するためのシーケンス図である。
【図１２】重要情報受信および受諾情報送信経路シーケンスにおいて不具合Ｂ、Ｃが発生したときの動作を説明するためのシーケンス図である。
【図１３】受諾情報および指示受信経路シーケンスにおいて不具合Ｄが発生したときの動作を説明するためのシーケンス図である。
【図１４】受諾情報および指示受信経路シーケンスの返信において不具合Ｅが発生したときの動作を説明するためのシーケンス図である。
【図１５】本発明の第２実施形態による情報提供装置を適用した通信システムを示すブロック図である。
【図１６】本第２実施形態による受諾情報の送信通知の動作を説明するためのシーケンス図である。
【図１７】本第２実施形態による指示の送信通知の動作を説明するためのシーケンス図である。
【図１８】従来技術による通信システムでの課題を説明するためのシーケンス図である。
【符号の説明】
【００５９】
１  送信者携帯端末
２、７  同期通信ネットワーク
３  重要情報伝達・指示確認システム
４  非同期通信メッセージサービス
５、８  非同期通信ネットワーク
６  受信者携帯端末
３−１  同期通信処理部（情報受信手段、情報送信手段、返信情報送信手段、状態情報送信手段）
３−２  要求処理部（要求処理手段）
３−３  ユーザＤＢ
３−４  情報保存ＤＢ（記憶手段）
３−５  非同期通信依頼部（情報受信通知手段、返信情報受信通知手段）
【図１】
2007059963.tif 000003
【図２】
2007059963.tif 000004
【図３】
2007059963.tif 000005
【図４】
2007059963.tif 000006
【図５】
2007059963.tif 000007
【図６】
2007059963.tif 000008
【図７】
2007059963.tif 000009
【図８】
2007059963.tif 000010
【図９】
2007059963.tif 000011
【図１０】
2007059963.tif 000012
【図１１】
2007059963.tif 000013
【図１２】
2007059963.tif 000014
【図１３】
2007059963.tif 000015
【図１４】
2007059963.tif 000016
【図１５】
2007059963.tif 000017
【図１６】
2007059963.tif 000018
【図１７】
2007059963.tif 000019
【図１８】
2007059963.tif 000020